(57)【特許請求の範囲】
【請求項１】
吸気および呼気の少なくとも一方における成分を分析する際に装着されるマスクであって、
上記マスクを装着した生体の側に位置している第１シートと、上記第１シートに対向して配置されている第２シートとを少なくとも含む複数のシートと、
上記第１シートと上記第２シートとにより形成される空間にガスを供給するためのガス供給口と、
上記第１シートと上記生体との間に配置され、吸気および呼気の少なくとも一方を呼吸成分分析器に導入する導入経路を接続するための接続部と、を備えていることを特徴とするマスク。
【請求項２】
上記第２シートは、上記第１シートよりもガス透過性が低いことを特徴とする請求項１に記載のマスク。
【請求項３】
上記第１シートと上記生体との間に配置されている第３シートを備え、
上記生体と上記第３シートとの間に、上記接続部が配置されていることを特徴とする請求項１または２に記載のマスク。
【請求項４】
上記第１シートと上記生体との間に配置されている第３シートを備え、
上記第１シートと上記第３シートとの間に、上記接続部が配置されていることを特徴とする請求項１または２に記載のマスク。
【請求項５】
上記接続部の上記生体に対する側は開口部が形成されており、上記生体に対する側と反対側は、上記ガスの侵入を阻止する阻止面が形成されていることを特徴とする請求項１から４までの何れか１項に記載のマスク。
【請求項６】
上記第１シートにおいて、マスク装着時に上記生体の呼吸器官開口部と対向する範囲を除く位置に、上記空間内に貯留される上記ガスを上記生体内に供給するための孔が少なくとも１つ形成されていることを特徴とする請求項１から５までの何れか１項に記載のマスク。
【発明の詳細な説明】
【技術分野】
【０００１】
本発明は、吸気および呼気の少なくとも一方における成分を分析する際に装着されるマスクに関する。
【背景技術】
【０００２】
呼吸器疾患、神経筋疾患などにより呼吸器機能が正常に機能しない場合は、マスクや鼻カニューラなどを使用して患者の鼻や口元に酸素を加給することが行われる。より高濃度の酸素を必要とする患者に対してはリザーババックを組み合わる方法、さらに呼吸の補助が必要となる患者に対してはマスクを密着させ陽圧換気を付加することにより強制的に肺を膨らませる方法、などが採用されている。
【０００３】
このようなマスクや鼻カニューラは、患者の口、鼻または口および鼻に長時間密接または密着して使用されるために、装着する者に不快感を与えている。この不快感は、リザーババックを組み合わせる方法、陽圧換気を行う方法など治療介入が増えるごとにさらに強くなる。このため、呼吸器機能が正常に機能しない患者に不快感を与えることが少なく、かつ効率的な治療を行うことができるマスクや鼻カニューラなどの酸素加給手段が提案されている。
【０００４】
また、正確に酸素が投与されているか確認するために、鼻や口にサンプルチューブを貼り付け、吸気や呼気の酸素量や二酸化炭素量を測定することが行われている。
【０００５】
例えば、特許文献１に、従来の硬いマスクシェルは、人の顔の形に追従し難く加給される気体の漏れや人に不快感を与える恐れがあることから、以下の呼吸マスクが提案されている。すなわち、柔軟な呼吸マスクであって、人の顔の部分における呼吸孔の上に嵌められるよう適合される織布、不織布など柔軟な材料から形成され、上記柔軟な材料の少なくとも一部上に延在する不浸透性コーティングを含むマスクシェルと、上記マスクシェルの上記柔軟な材料を通って延在し、上記柔軟な材料に固定され、気体供給ホースに接続することができるホースコネクタと、人の顔の上記部分の上にマスクシェルを固定するための少なくとも１つの取付部材と、を有する呼吸マスクが提案されている。この呼吸マスクは、材料の柔軟な性質のため人の顔の形または大きさにかかわらずその人の顔に従うことができ、材料の浸透性のため吐出された空気の排出ならびに過剰に供給された気体および吐出されたＣＯ２の排出を可能にし、水分を通過可能にするとされる。
【０００６】
特許文献２には、鼻孔カニューラは患者の負担が少なく簡易な酸素加給手段であるが、戸外で使用する場合に風などの影響により酸素供給効率が低下する問題があることからこれを解決するため、マスク形状に近づけた鼻孔カニューラが提案されている。すなわち、使用者の外鼻外周面に接し、外鼻を覆うドーム状の隔壁を備えたマスクであり、該隔壁に吸入用ガスを投入する為の吸入用ガス投入ポートを備え、該吸入用ガス投入ポートから使用者の鼻翼部乃至鼻尖部の下方と該隔壁との間に形成される空間部に該吸入用ガスを投入する吸入用ガス投入手段を備えた吸入用ガス供給用マスクが提案されている。
【０００７】
特許文献３に、使用者の呼吸に対応して間歇的に陽圧空気を供給する為の呼吸マスクにおいて、鼻長方向の鼻上部から該陽圧空気を供給する陽圧空気供給ポート、鼻孔の下方位置に呼気排出口を有し、かつ該呼気排出口近傍位置に鼻孔方向へ向かって治療用ガスを投入する治療用ガス投入ポートを備えた治療用ガス投入用呼吸マスクが提案されている。この治療用ガス投入用呼吸マスクは、安定した酸素濃度を加給することができ、再呼吸量が少ないとされる。
【０００８】
特許文献４では、呼気ガス濃度を正確に測定する事を目的に、患者の鼻と口の少なくとも一方が対向する位置に呼気ガスの排出口を形成する事で、呼気ガスが酸素で希釈されるのを少なくなるとされる。
【先行技術文献】
【特許文献】
【０００９】
【特許文献１】特表２００３−５０１２２０号公報（２００３年１月１４日公表）
【特許文献２】特開２００７−１８１６６１号公報（２００７年７月１９日公開）
【特許文献３】特開２０００−２２５１９１号公報（２０００年８月１５日公開）
【特許文献４】特開２０１４−１３８８９４号公報（２０１４年７月３１日公開）
【発明の概要】
【発明が解決しようとする課題】
【００１０】
しかしながら、上記特許文献１〜３に記載のマスクは、外部から酸素ガスや治療用ガスを供給するための構成については開示があるものの、生体の吸気または呼気を測定するための構成については、何も開示されていない。
【００１１】
一方、上記特許文献４に記載のマスクは、呼気ガスが酸素で希釈されるのを少なくするため、マスク本体の所定の位置に呼気ガスの排出口を形成しているが、このマスクは、着用時に見映えが悪くなるとともに、ユーザにとっても着用時に違和感があるという問題点がある。
【００１２】
また、従来の一般的な呼吸マスクにて、マスクと生体との間に呼吸成分を分析するためのガスサンプルチューブの接続部をそのまま配置すると、供給ガスが直接接続部に流れるため、吸気または呼気が、供給ガスで希釈され、吸気または呼気のガス濃度を正確に測定できないという問題点がある。
【００１３】
本発明は、上記の問題点に鑑みてなされたものであり、その目的は、着用時の見映えを良くするとともに着用時の違和感を低減し、吸気または呼気が、供給ガスで希釈されるのを低減して、吸気または呼気のガス濃度を正確に測定することができるマスクを提供することにある。
【課題を解決するための手段】
【００１４】
上記の課題を解決するために、本発明の一態様に係るマスクは、吸気および呼気の少なくとも一方における成分を分析する際に装着されるマスクであって、上記マスクを装着した生体の側に位置している第１シートと、上記第１シートに対向して配置されている第２シートとを少なくとも含む複数のシートと、上記第１シートと上記第２シートとにより形成される空間にガスを供給するためのガス供給口と、上記第１シートと上記生体との間に配置され、吸気および呼気の少なくとも一方を呼吸成分分析器に導入する導入経路を接続するための接続部と、を備えていることを特徴としている。
【００１５】
上記構成によれば、第１シートおよび第２シートを含む複数のシートで構成されるシート構造を採用しているため、マスク着用時に、サージカルマスクを装着した場合と同様の外観とすることができ、見映えが良くなる。さらに、シート構造を採用しているためマスクの一部だけがユーザの肌に強く接触することもないので、着用時の違和感も低減できる。
【００１６】
また、上記構成によれば、吸気および呼気の少なくとも一方を呼吸成分分析器に導入する導入経路を接続するための接続部が、第１シートと生体との間に配置されている。また、第１シートの存在により、第１シートと第２シートとの間に貯留されるガス（供給ガス）が、直接接続部に流れるのが低減される。このため、吸気または呼気が、供給ガスで希釈されるのを低減して、吸気または呼気のガス濃度を正確に測定することが可能になる。
【００１７】
以上により、着用時の見映えを良くするとともに着用時の違和感を低減し、吸気または呼気が、供給ガスで希釈されるのを低減して、吸気または呼気のガス濃度を正確に測定することができる。
【００１８】
また、本発明の一態様に係るマスクは、上記構成に加えて、上記第２シートは、上記第１シートよりもガス透過性が低くても良い。
【００１９】
上記の構成によれば、第１シートおよび第２シートにより形成される空間内に貯留した気体は、第１シートを透過して当該空間の外へ排出され易くなる。このため、第１シートがユーザ（生体）の口側となるようにマスクがユーザに装着された場合、マスクにガスが供給されると、当該空間内に貯留したガスが第１シートを透過してユーザに供給され易くなる。このため、マスクによる供給ガスの生体への供給機能を向上させることができる。
【００２０】
また、本発明の一態様に係るマスクは、上記構成に加えて、上記第１シートと上記生体との間に配置されている第３シートを備え、上記生体と上記第３シートとの間に、上記接続部が配置されていても良い。
【００２１】
上記構成によれば、上記接続部が、生体と第３シートとの間に配置されている。また、第１シートおよび第３シートの存在により、第１シートと第２シートとの間に貯留されるガスが、直接接続部に流れるのがより低減される。このため、吸気または呼気が、供給ガスで希釈されるのを低減して、吸気または呼気のガス濃度を正確に測定することが可能になる。
【００２２】
また、本発明の一態様に係るマスクは、上記第１シートと上記生体との間に配置されている第３シートを備え、上記第１シートと上記第３シートとの間に、上記接続部が配置されていても良い。
【００２３】
上記構成によれば、接続部が、第１シートと第３シートとの間に配置されているため、第３シートの存在により、接続部が生体に直接接触しないようにすることができる。
【００２４】
また、本発明の一態様に係るマスクは、上記構成に加えて、上記接続部の上記生体に対する側は開口部が形成されており、上記生体に対する側と反対側は、上記ガスの侵入を阻止する阻止面が形成されていても良い。
【００２５】
上記構成によれば、上記接続部の生体に対する側は開口部が形成されている。このため、吸気および呼気の少なくとも一方を呼吸成分分析器に導入し易くなる。また、上記構成によれば、接続部の生体に対する側と反対側は、ガスの侵入を阻止する阻止面が形成されている。これにより、供給ガスが、直接接続部の開口部に流れるのがより低減される。このため、吸気または呼気が、供給ガスで希釈されるのを低減して、吸気または呼気のガス濃度を正確に測定することが可能になる。
【００２６】
また、本発明の一態様に係るマスクは、上記構成に加えて、上記第１シートにおいて、マスク装着時に上記生体の呼吸器官開口部と対向する範囲を除く位置に、上記空間内に貯留される上記ガスを上記生体内に供給するための孔が少なくとも１つ形成されていても良い。
【００２７】
上記構成によれば、第１シートおよび第２シートにより形成される空間内に貯留したガスは、第１シートに形成された孔を通過して当該空間の外へ排出され易くなる。このため、第１シートがユーザ（生体）の口側となるようにマスクがユーザに装着された場合、マスクにガスが供給されると、当該空間内に貯留したガスが第１シートに形成された孔を通過してユーザに供給され易くなる。また、上記構成によれば、マスクの呼吸器官開口部と対向する範囲には孔を形成していないため、供給ガスが、直接接続部に流れるのがより低減される。このため、マスクによる供給ガスの生体への供給機能を向上させつつ、吸気または呼気が、供給ガスで希釈されるのを低減して、吸気または呼気のガス濃度を正確に測定することが可能になる。
【発明の効果】
【００２８】
本発明は、着用時の見映えを良くするとともに着用時の違和感を低減し、吸気または呼気が、供給ガスで希釈されるのを低減して、吸気または呼気のガス濃度を正確に測定することができるという効果を奏する。
【図面の簡単な説明】
【００２９】
【図１】本発明の実施形態１に係るマスクの正面図である。
【図２】上記マスクのＡ−Ａ断面図である。
【図３】本発明の実施形態１に係るマスクにおいて気体の流れを示す図である。
【図４】本発明の実施形態２に係るマスクにおいて気体の流れを示す図である。
【図５】（ａ）は、本発明の実施形態３に係るマスクにおいて気体の流れを示す図であり、（ｂ）は、本発明の実施形態４に係るマスクにおいて気体の流れを示す図である。
【図６】（ａ）は、本発明の実施形態５に係るマスクにおいて気体の流れを示す図であり、（ｂ）は、本発明の実施形態６に係るマスクにおいて気体の流れを示す図である。
【発明を実施するための形態】
【００３０】
本発明の実施の形態について図１〜図６に基づいて説明すれば、次の通りである。以下、説明の便宜上、特定の実施形態にて説明した構成と同一の機能を有する構成については、同一の符号を付記し、その説明を省略する場合がある。
【００３１】
〔実施形態１〕
図１および図２は、本発明の実施形態１に係るマスク１の模式図であり、図１は平面図、図２はマスク１のＡ−Ａ断面を示す断面図である。本実施形態のマスク１は、図１に示すように、重ねてなる複数の第１シート（マスクが備える複数のシートのうちの１つ）２の上面を第２シート（マスクが備える複数のシートのうちの１つ）３で覆い、これらの周縁部を接合してなるマスク本体１１と、そのマスク本体１１を身体に取り付ける装着部１５と、第１シート２と第２シート３との間に設けられるガス貯留部４に酸素ガス（ガス）を加給するガス供給経路６と、を有している。そして、ガス貯留部４は、ガス供給経路６を通じて加給される酸素ガス（マスクの外部から供給されるガス）により拡張・形成されてなるものである。第１シート２は、マスク１を装着した生体の側に位置している。また、第２シート３は、第１シート２に対向して配置されている。
【００３２】
本実施形態では、第１シート２が、繊維シートであり、第２シート３がフィルムシートである場合について説明するがこれに限定されない。また、第１シート２は、第２シート３よりも高いガス透過性を有することが好ましいが、第１シート２は、第２シート３と同じガス透過性を有していても良い。また、第１シート２は、繊維シートを複数枚重ねて形成されたものであってもよいし、多孔性材質（料）であってもよい。
【００３３】
マスク１によれば、第１シート２および第２シート３により形成される空間内に貯留した気体は、第１シート２を透過して当該空間の外へ排出され易くなる。このため、第１シート２がユーザ（生体）の口側となるようにマスク１がユーザに装着された場合、マスク１にガスが供給されると、当該空間内に貯留したガスが第１シート２を透過してユーザに供給され易くなる。
【００３４】
また、例えば、第２シート３は、フィルムシートであってもよいし、繊維シートを複数枚重ねて形成されたものであってもよいし、第１シート２と同等のガス透過性を有するシートを複数枚重ねて形成されたものであってもよい。
【００３５】
本実施形態において繊維シートとは、織布、不織布、不織紙など紡糸や抄紙された樹脂系繊維またはセルロース系繊維を織り、融着あるいは絡めるなどにより形成されたシート状に形成したものをいう。本実施形態の第１シート２は、上記の繊維シートを重ねたものであり、表裏を形成する包被材２１、芯材２２からなり、マスク１が鼻上部に密着するとともに、その形状を保持するための強度部材としての紐材２５を有している。第１シート２は、これを形成する繊維間に適度の隙間を有している。このため、マスク１を装着した患者に以下に説明するガス貯留部４に貯留された酸素を繊維間の隙間を通して容易に供給することができるとともに、ガス貯留部４に貯留された酸素の散逸を防止することができるようになっている。なお、第１シート２は、公知のサージカルマスクに使用されるものであって、所用のものを使用することができる。また、紐材２５は、マスク１の辺縁部に適度に設けることができる。これによりマスク１の強度向上を図り、患者の装着感を高めることができる。
【００３６】
本実施形態の第２シート３は、その内部に加給された酸素が保持できるようなポリエチレン樹脂、ポリ塩化ビニル樹脂、ポリアミド樹脂、ポリエチレンテレフタレート樹脂などから形成される。第２シート３は、透明であるのがよい。マスク１の第２シート３が透明であると、これを装着した外観がほとんどサージカルマスクを装着した様子と変わらないという利点がある。
【００３７】
上記の第１シート２および第２シート３は、それらの周縁が接合されて一体になり、マスク本体１１を形成する。マスク本体１１には、第１シート２と第２シート３との間に酸素ガスを加給するガス供給経路６が設けられている。ガス供給経路６は、マスク本体１１の隅部に管部が接合されてマスク本体１１と一体になり、その一端においてガス供給口７がマスク本体１１の中央部分に開口している。これにより、効果的にガス貯留部４を形成することができ、また、患者に酸素ガスを効率的に供給することができる。ガス供給経路６の他方側は、マスク本体１１から延伸し、端部にコネクタ８を有している。コネクタ８は、酸素供給装置の酸素供給配管（図示せず）に連結することによりガス供給経路６に酸素が供給される。
【００３８】
本実施形態においては、ガス供給経路６に酸素が供給され、第１シート２と第２シート３との間に酸素ガスが加給されると、第１シート２と第２シート３とはほとんど重なった状態から図２に示すように次第に離隔して空間が形成され、その空間が拡張する。そして、酸素を貯留することができるガス貯留部４が形成される。すなわち、ガス貯留部４が拡張・形成されるようになる。マスク１は、このようにいわばリザーババッグを有する呼吸マスクとしての機能を有している。
【００３９】
簡単な構造で酸素をできるだけ多く貯留することができるガス貯留部４を形成するには、プリーツ加工をした第１シート２および第２シート３からガス貯留部４を形成するのがよい。例えば、フィルムシートに施したプリーツのひだ幅寸法または／およびひだ数を繊維シートに施したプリーツ加工のひだ幅寸法または／およびひだ数よりも大きくする。このようにして、ガス貯留部４を形成すれば、簡単な構造で、異なる容量の酸素ガスを貯留するリザーババッグを形成することができる。
【００４０】
マスク１に供給される酸素ガスは酸素供給装置からガス供給経路６を通じて供給されるので、ガス供給経路６は、この所用の大きさと重量を必要とする酸素供給装置との連結が容易で、取り扱いおよび使用感のよいものにする必要がある。このために、ガス供給経路６は、マスク本体１１から延伸し、適度の長さを有するものであるのがよい。例えば、酸素供給装置の酸素供給配管と連結されるコネクタ８が、頭後あるいは首下にくるような長さのガス供給経路６にするのがよい。
【００４１】
また、マスク本体１１には、第１シート２と生体（呼吸器官開口部）との間に、生体の吸気および呼気の少なくとも一方を呼吸成分分析器に導入するガスサンプルチューブ（導入経路）９が設けられている。ガスサンプルチューブ９は、その一端において接続部１０の開口部がマスク本体１１の中央部分（生体の呼吸器官開口部に対向する位置）において開口している（本実施形態では、紙面に対して左方向に開口している）。マスク１は、このように、生体の吸気および呼気の少なくとも一方における成分を分析する際に装着される呼吸成分分析マスクとしての機能を合わせ持っている。なお、ガスサンプルチューブ９は、第１シート２に対して溶着して接合しても良いし、粘着テープを用いて第１シート２に対して貼り付けるようにして接合しても良い。
【００４２】
本実施形態のマスク１の装着部１５は、耳かけタイプになっている。この耳かけタイプは、マスク１を通常のサージカルマスクとほとんど同等の感覚で使用することができる利点を有する。しかしながら、マスク１のより確実な装着・固定を行うために、頭部および首部にかけ回すようにすることができる。
【００４３】
マスク１によれば、第１シート２および第２シート３を含む複数のシートで構成されるシート構造を採用しているため、マスク着用時に、サージカルマスクを装着した場合と同様の外観とすることができ、見映えが良くなる。さらに、シート構造を採用しているためマスク１の一部だけがユーザの肌に強く接触することもないので、着用時の違和感も低減できる。
【００４４】
また、マスク１によれば、吸気および呼気の少なくとも一方を呼吸成分分析器に導入するガスサンプルチューブ９を接続するための接続部１０が、第１シート２と生体との間に配置されている。また、第１シート２の存在により、第１シート２と第２シート３との間に貯留されるガスが、直接接続部１０に流れるのが低減される。このため、吸気または呼気が、供給ガスで希釈されるのを低減して、吸気または呼気のガス濃度を正確に測定することが可能になる。
【００４５】
以上により、着用時の見映えを良くするとともに着用時の違和感を低減し、吸気または呼気が、供給ガスで希釈されるのを低減して、吸気または呼気のガス濃度を正確に測定することができる。
【００４６】
次に、図３の（ａ）および（ｂ）は、マスク１において気体の流れを示す図である。
【００４７】
図３の（ａ）に示すように、マスク１は、マスク１の外部から酸素（ガス）が供給される構成である。具体的には、ガスを供給するガス供給経路６が、第１シート２と第２シート３との間に配置され、ガス供給経路６のガス供給口７が、マスク１の中央部に配置されている。
【００４８】
マスク１の外部から供給される酸素（ガス）は、ガス供給経路６を通り、ガス供給口７からマスク１の中央部に供給される。そして、マスク１を装着しているユーザの呼気は、マスク１の周縁部から外部に排出される。
【００４９】
なお、以下ではガス供給経路６を通過するガス（マスク１の外部から供給されるガス）を酸素として説明するがこれに限定されない。例えば、ガス供給経路６を通過するガスは、ヘリウムを含んでいてもよいし、麻酔薬を含む気体であってもよいし、ユーザの治療に必要な薬剤を含む気体であってもよい。
【００５０】
また、マスク１は、生体の吸気または呼気を呼吸成分分析器に導入する構成である。具体的には、生体の吸気または呼気を呼吸成分分析器に導入するガスサンプルチューブ９が、第１シート２と生体との間に配置され、ガスサンプルチューブ９の接続部１０が、マスク１の中央部に配置されている。
【００５１】
（気体の流れ）
図３の（ａ）を用いて吸気時の気体の流れを説明する。マスク１に酸素が供給されると、図示のように第１シート２と第２シート３との間（複数のシートにより形成された空間内）に酸素が貯留し、周囲よりも圧力の高いガス貯留部４が形成される。第１シート２と第２シート３はガス貯留部を構成するが、第１シート２のガス透過性がより高いため、酸素ガスは常に、第１シート２を通して生体側に流れることとなる。ここで、マスク１を装着したユーザが息を吸うと、生体側の圧力がさらに低下することから、ガス貯留部４内に貯留した酸素が、ユーザの吸気の吸引力により第１シート２を透過してユーザの体内に効率的に供給される。なお、ユーザの吸気には、マスク１の外部にある空気（外気）が含まれていてもよい。
【００５２】
図３の（ｂ）を用いて呼気時の気体の流れを説明する。マスク１を装着したユーザが息を吐くと、ユーザの呼気は、第１シート２に当たり、ユーザの顔とマスク１との間に生じる隙間からマスク１の外部に排出される。
【００５３】
すなわち、ガス貯留部４には酸素が供給され続けているため、ガス貯留部４内の気圧が増加し、ガス貯留部４内の酸素は、第１シート２を透過してガス貯留部４の外へ漏出しようとする。一方、ユーザの呼気は、第１シート２に対してガス貯留部４外から吹き付けられる。このように、ガス貯留部４内の気圧の方向は、ユーザの呼気がガス貯留部４に対して加える圧力の方向と対向する。このため、ユーザの呼気が、第１シート２を透過してガス貯留部４内の気体と混合することが防止される。さらには、ユーザが息を吐いている場合に、ガス貯留部４に貯留された酸素が、第１シート２を透過してガス貯留部４の外に漏出することが防止される。それゆえ、ガス貯留部４内の酸素濃度が、ユーザの呼気および酸素の漏出により低下するということを防止できる。
【００５４】
以上のように、第１シート２は所定のガス透過性を有するため、マスク１は、マスク１を装着したユーザが呼吸した場合、ユーザの吸気時においてガス貯留部４内の酸素をユーザに供給させ易いものとなる。そして、マスク１は、上述した通り、マスク１を装着したユーザの呼気時において、ユーザの呼気をガス貯留部４の外から内に透過させ難いものとなるとともに、ガス貯留部４内の酸素をガス貯留部４の外に漏出させ難いものとなっている。そのため、酸素の供給が呼気時ではなく、酸素を必要とする吸気時に集中的に行われることとなるため、効率的な酸素供給が可能となる。
【００５５】
また、マスク１によれば、第１シート２の存在により、第１シート２と第２シート３との間に貯留されるガス（供給ガス）が、直接接続部１０に流れるのが低減される。このため、このため、吸気または呼気が、供給ガスで希釈されるのを低減して、吸気または呼気のガス濃度を正確に測定することが可能になる。具体的には、マスク１によれば、二酸化炭素を検出する際に、検出精度に対して供給ガスが与える影響を低減することができる。また、マスク１によれば、吸気または呼気が供給ガス（酸素）で希釈されるのを少なくして、吸気ガスまたは呼気ガスの濃度の正確な測定が可能になる。
【００５６】
（湿度）
マスク１が備える第１シート２および第２シート３は、柔軟性を有するシートである。このため、ユーザがマスク１を装着した場合、ユーザの顔とマスク１との間に空間が生じる構成となる。このような空間が生じることにより、マスク１は、湿度についての不快感をユーザに与えることがない。
【００５７】
より具体的には、図３の（ｂ）に示すように、ユーザの呼気の大半は、マスク１の外部に排出される一方、ユーザの呼気の一部は、ユーザの顔とマスク１との間の空間に滞留する。そして、図３の（ａ）に示すように、ユーザの吸気は、ガス貯留部４内に貯留する酸素だけでなく、当該空間に滞留するユーザの呼気を含む。
【００５８】
ユーザの呼気は、ガス貯留部４内の気体よりも二酸化炭素を多く含む一方、ガス貯留部４内の気体よりも高い湿度を有する。このため、ユーザが息を吐いた後における吸気は、当該ユーザの呼気を含むことにより適切な湿度を保持することが可能となる。それゆえ、ユーザの口腔内が、マスク１の外部から供給される酸素により過度に乾燥するということが防止される。
【００５９】
また、第１シート２および第２シート３は柔軟性を有するシートであるため、ユーザの呼気時におけるマスク１は、ユーザの顔とマスク１との間に隙間が生じる構成となる。このため、ユーザの呼気は、当該隙間からマスク１の外部へ排出される。それゆえ、マスク１で覆われるユーザの顔とマスク１との間の空間における気体の湿度は、ユーザの呼気により過度に上昇することが防止される。
【００６０】
以上により、ユーザの吸気について適正な湿度が保持されるとともに、マスク１で覆われるユーザの顔とマスク１との間の空間において適正な湿度が保持されることが可能となる。それゆえ、マスク１は、快適な状態でユーザに長時間装着されることが可能となる。
【００６１】
〔実施形態２〕
次に、図４に基づき、本発明の実施形態２に係るマスク１ａの構成について説明する。図４の（ａ）および（ｂ）は、マスク１ａにおいて気体の流れを示す図である。
【００６２】
本実施形態のマスク１ａは、第１シート２と生体との間に配置されている第３シート５を備え、生体と第３シート５との間に、ガスサンプルチューブ９の接続部１０が配置されている点で、実施形態１のマスク１と異なっている。
【００６３】
本実施形態では、第３シート５は、ガス不透過性を有する不透過性シートで構成されているものとして説明するが、これに限定されず、第３シート５を上述した繊維シートまたはフィルムシートで構成しても良い。
【００６４】
図４の（ａ）に示すように、第２シート３が第１シート２とガスサンプルチューブ９との間に配置されていると、ガス貯留部４に貯留された供給ガスは、第３シート５の端部を迂回して生体の呼吸器官開口部に流れる。このように、供給ガスは、ガスサンプルチューブ９の接続部１０に直接吹き付けられる（直接流れる）ことが無くなるため、吸気または呼気が、供給ガスで希釈されるのを低減して、吸気または呼気のガス濃度を正確に測定することが可能になる。
【００６５】
上述したように、マスク１ａでは、接続部１０が、生体と第３シート５との間に配置されている。また、第１シート２および第３シート５の存在により、第１シート２と第２シート３との間に貯留されるガス（供給ガス）が、直接接続部１０に流れるのがより低減される。このため、吸気または呼気が、供給ガスで希釈されるのを低減して、吸気または呼気のガス濃度を正確に測定することが可能になる。
【００６６】
〔実施形態３〕
次に、図５の（ａ）に基づき、本発明の実施形態３に係るマスク１ｂの構成について説明する。図５の（ａ）は、マスク１ｂにおいて気体の流れを示す図である。
【００６７】
本実施形態のマスク１ｂは、接続部１０の生体に対する側は開口部１２が形成されており、生体に対する側と反対側は、ガスの侵入を阻止する阻止面１３が形成されている点で、上述した形態と異なっている。このような構成とするためには、ガスサンプルチューブのチューブの延在方向に対して斜めに切断すれば良い。
【００６８】
マスク１ｂでは、接続部１０の生体に対する側は開口部１２が形成されている。このため、吸気および呼気の少なくとも一方を呼吸成分分析器に導入し易くなる。また、マスク１では、接続部１０の生体に対する側と反対側は、ガスの侵入を阻止する阻止面が形成されている。これにより、供給ガスが、直接接続部１０の開口部１２に流れるのがより低減される。このため、吸気または呼気が、供給ガスで希釈されるのを低減して、吸気または呼気のガス濃度を正確に測定することが可能になる。
【００６９】
〔実施形態４〕
次に、図５の（ｂ）に基づき、本発明の実施形態４に係るマスク１ｃの構成について説明する。図５の（ｂ）は、マスク１ｃにおいて気体の流れを示す図である。
【００７０】
本実施形態のマスク１ｃは、第１シート２において、マスク１ｃ装着時に生体の呼吸器官開口部と対向する範囲を除く位置に、第１シート２と第１シート２との間の空間内に貯留されるガスを生体内に供給するための孔１４が複数形成されている点で、上述した形態と異なっている。本実施形態のマスク１ｃでは、合計１０個の孔１４が形成されているが、第１シート２に形成する孔の数はこれに限定されない。第１シート２に形成する孔の数は、少なくとも１個であれば良い。
【００７１】
図５の（ｂ）に示すように、第１シート２および第２シート３により形成される空間内に貯留したガスは、第１シート２に形成された孔１４を通過して当該空間の外へ排出され易くなる。このため、第１シート２がユーザ（生体）の口側となるようにマスク１ｃがユーザに装着された場合、マスク１ｃにガスが供給されると、当該空間内に貯留したガスが第１シート２に形成された孔１４を通過してユーザに供給され易くなる。また、マスク１ｃの呼吸器官開口部と対向する範囲には孔を形成していないため、供給ガスが、直接接続部１０に流れるのがより低減される。このため、マスク１ｃによる供給ガスの生体への供給機能を向上させつつ、吸気または呼気が、供給ガスで希釈されるのを低減して、吸気または呼気のガス濃度を正確に測定することが可能になる。
【００７２】
〔実施形態５〕
次に、図６の（ａ）に基づき、本発明の実施形態５に係るマスク１ｄの構成について説明する。図６の（ａ）は、マスク１ｄにおいて気体の流れを示す図である。
【００７３】
本実施形態のマスク１ｄは、ガスサンプルチューブ９が、第１シート２と第２シート３との間を水平方向に沿って延在し、中央付近で下側に折れ曲がり、第１シート２の中央付近に生成された孔および第３シート５の中央付近に形成された孔を通り、生体側に開口している点で、図４に示すマスク１ａと異なっている。
【００７４】
マスク１ｄによれば、ガスサンプルチューブ９が第１シート２と第２シート３との間を水平方向に沿って延在しているため、ガスサンプルチューブ９が生体に触れることによる不快感を低減することができる。
【００７５】
〔実施形態６〕
次に、図６の（ｂ）に基づき、本発明の実施形態６に係るマスク１ｅの構成について説明する。図６の（ｂ）は、マスク１ｅにおいて気体の流れを示す図である。
【００７６】
本実施形態のマスク１ｅは、ガスサンプルチューブ９が第１シート２と第３シート５との間を水平方向に沿って延在し、接続部１０も第１シート２と第３シート５との間に存在している点で、図４に示すマスク１ａと異なっている。
【００７７】
マスク１ｅによれば、接続部１０が、第１シート２と第３シート５との間に配置されているため、第３シート５の存在により、接続部１０が生体に直接接触しないようにすることができる。なお、生体の吸気または呼気を正確に測定する観点では、第３シート５のガス透過性を、第１シート２および第２シート３よりも高くすることが好ましい。
【００７８】
〔変形例〕
図４の（ａ）および（ｂ）に示すマスク１ａならびに図５の（ｂ）に示すマスク１ｃにおいて、ガスサンプルチューブ９の接続部１０を、図５の（ａ）に示すマスク１ｂの接続部１０のように、生体に対する側に開口部１２を形成し、生体に対する側と反対側に、ガスの侵入を阻止する阻止面１３を形成しても良い。
【００７９】
また、図４の（ａ）および（ｂ）に示すマスク１ａならびに図５の（ａ）に示すマスク１ｂにおいて、図５の（ｂ）に示すマスク１ｃのように、第１シート２に孔１４を形成しても良い。
【００８０】
また、図４の（ａ）および（ｂ）に示すマスク１ａにおいて、ガスサンプルチューブ９の接続部１０を、図５の（ａ）に示すマスク１ｂの接続部１０と同様の構造とし、かつ、図５の（ｂ）に示すマスク１ｃのように、第１シート２に孔１４を形成しても良い。
【００８１】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８２】
１，１ａ〜１ｅ  マスク
２  第１シート
３  第２シート
５  第３シート
９  ガスサンプルチューブ（導入経路）
１０  接続部
１２  開口部
１３  阻止面
１４  孔
【図１】
0006620986.tif 000002
【図２】
0006620986.tif 000003
【図３】
0006620986.tif 000004
【図４】
0006620986.tif 000005
【図５】
0006620986.tif 000006
【図６】
0006620986.tif 000007